(57)【要約】【課題】          本発明の紐留具は、紐を結ぶ又は解くことをワンタッチで行うことを課題とする。【解決手段】レバーヘッドに２つのレバーを設けたレバーユニットと、前記レバーユニットを両脇から収納する本体と、前記本体の内部に紐を分岐させるピンと、前記本体の底部に設けるロアーに、レバーユニットを固定または解除する固定解除バーと、前記固定解除バーに、連結具を介して取り付ける解除ボタンを有することを特徴とする。【選択図】図１
2017099636.tif 000002
【特許請求の範囲】
【請求項１】
レバーヘッドに２つのレバーを設けたレバーユニットと、
前記レバーユニットを両脇から収納する本体と、
前記本体の内部に紐を分岐させるピンと、
前記本体の底部に設けるロアーに、レバーユニットを固定または解除する固定解除バーと、
前記固定解除バーに、連結具を介して取り付ける解除ボタンを有することを特徴とする紐留具。
【請求項２】
前記レバーの先端部にフックを設けたことを特徴とする請求項１に記載の紐留具。
【請求項３】
前記レバーユニットのレバーに傾きを設けたことを特徴する請求項１から２いずれか１項に記載の紐留具。
【請求項４】
前記レバーの先端部を凹状に形成したことを特徴する請求項１から３いずれか１項に記載の紐留具。
【発明の詳細な説明】
【技術分野】
【０００１】
本発明は、紐を収納可能な紐留具に関する。
【背景技術】
【０００２】
従来、靴を履くときには紐を結ぶことで、靴を足に固定し、靴の装着感を調整しているが、靴紐を結ぶことに、煩雑さを感じている使用者が顕在的にも潜在的にも少なくないことが推察される。これは靴紐に限られるものではなく、紐を結ぶことに共通の課題と考えられる。一方で、紐を用いない靴として、紐の代わりに面ファスナーを用い、紐を結ぶ手間をなくすものなどが商品化されている。
【０００３】
特開２００４-０１６７３２においては、巻取り装置の巻きワイヤを巻き取ることにより、前記巻きワイヤの自由端部に付設されているリングを引張ることで、靴紐をよりしっかりと締めることができ、且つ、前記巻き取り装置の巻きワイヤを繰り出すことにより、靴紐を緩めることができる、靴を履いたり脱いだりすることが容易な巻取り装置に関する技術が記載されているが、巻き取り操作を行うが必要であり、ワンタッチで紐を締めたり緩めたりすることはできない。
【０００４】
紐を結ぶことで、締める又は固定する構造を持つものに対しては、結ぶ又は解く工程を他の方法に置き換えることで、煩雑さが解消され望ましい。
【先行技術文献】
【特許文献】
【０００５】
【特許文献１】特開特開２００４-０１６７３２号（段落０００５、図５、６）
【発明の概要】
【発明が解決しようとする課題】
【０００６】
本発明の紐留具は、紐を結ぶ又は解くことをワンタッチで行うことを課題とする。
【課題を解決するための手段】
【０００７】
レバーヘッドに２つのレバーを設けたレバーユニットと、前記レバーユニットを両脇から収納する本体と、前記本体の内部に紐を分岐させるピンと、前記本体の底部に設けるロアーに、レバーユニットを固定または解除する固定解除バーと、前記固定解除バーに、連結具を介して取り付ける解除ボタンを有することを特徴とする。
【０００８】
前記レバーの先端部に、レバーが本体から外れることを防止するフックを設けたことを特徴とする。
【０００９】
前記レバーユニットのレバーに、傾きを設けることにより、本体内部の空間を有効に利用できることを特徴する。
【００１０】
前記レバーの先端部を、凹状に形成することで、レバー先端部から紐が外れることを防止できることを特徴する。
【発明の効果】
【００１１】
靴の場合、本紐留具を靴紐に経路して装着し、レバーユニットを本体に押込むことで紐を締めることができ、解除ボタンを押すことで紐を緩めることができるため、紐を締めたり緩めたりすることすなわち、紐を結ぶ又は解くことをワンタッチで行うことが可能となる。
【００１２】
例えば、片手しか使えない身体障害者であっても、本紐留具が靴に装着してあれば、片手で紐を締めたり緩めたりすることができる。
【００１３】
靴に限らず、ベルトやバッグ、被服等に於いて、紐を用いて締める緩めることが必要な箇所に適用することができる。
【図面の簡単な説明】
【００１４】
【図１】レバーユニット挿入前の一例の本体平面図
【図２】レバーユニット挿入後の一例の本体平面図
【図３】本発明の一例の本体正面図
【図４】本発明の一例の本体側面図
【図５】本発明の一例の本体底面図
【図６】本発明の一例の本体正面透視図
【図７】ロアー部の構成を示す正面図
【図８】本体の開口部を示す本体側面図
【図９】解除ボタンと連結具の位置を示すロアー部の平面図
【図１０】紐の経路を示す本体平面図
【図１１】レバーユニット挿入時の紐の経路を示す本体平面図
【図１２】レバーユニットの一例の平面図と側面図
【図１３】本体装着状態を示す一例の斜視図
【発明を実施するための形態】
【実施例１】
【００１５】
本発明の紐留具について、図面を引用して説明する。
【００１６】
本体２は、両側面と底面を開口した略直方体で、レバー４を収納するための空間と、両脇からレバー４を挿入するための開口部を有し、開口部側ではない両側壁には紐を通すための紐用孔１８を４ヶ所設ける。天面には解除ボタン１０用のボタン用孔１７を設け、ボタン用孔１７の両脇であって本体内部側に、紐を分岐させるためのピン９を設ける。
図２はレバーユニット挿入後の一例の本体平面図、図３は本発明の一例の本体正面図、図４は本発明の一例の本体側面図、図５は本発明の一例の本体底面図、図８は本体の開口部を示す本体側面図である。
【００１７】
ロアー８には固定解除バー１１を左右対称に形成し、固定解除バーの先端部には、レバーユニット３を固定するためのフック１２を設ける。固定解除バー１１の上面に連結具１３を介して、解除ボタン１０を設ける。紐用孔１８はロアー８に、４ヶ所設けてもよい。
図５は本発明の一例の本体底面図、図６は本発明の一例の本体正面透視図、図７はロアー部の構成を示す正面図、図９は解除ボタンと連結具の位置を示すロアー部の平面図である。
【００１８】
レバーユニット３は、略直方体のレバーヘッド５に、レバー４をある間隔をおいて平行に２つ設け、レバーヘッド底面には、固定解除バー１１の先端にあるフック１２を収納するためのフック溝６を設ける。固定解除バー１１は、一端がロアー８に連結しているためバネ性を有し、解除ボタンを押すことで連結具を介して下側へ移動し、フック溝６からフック１２が外れ、解除ボタンが押されない状態では、元の位置に戻るようになり、フック溝６へフック１２が入り込み、レバーユニット３の固定及び解除が可能となる。図１はレバーユニット挿入前の一例の本体平面図、図５は本発明の一例の本体底面図である。
【００１９】
レバー４の先端部外側には、本体からレバーユニット３が外れることを防止するための、爪１５を設けてもよい。この場合本体２の内部に、爪１５が掛る凸部を設けることが望ましい。また、レバー４の先端部を、凹状に形成することで、レバーユニット３を本体に押込むときに、紐がレバー先端部から外れることを防止することができる。更には、レバー４は傾きを設けてレバーヘッド５へ取付けることで、本体内部の空間を有効に利用することができ、取扱う紐の形状や太さに応じて、適宜傾き角を選択することができる。図１２はレバーユニットの一例の平面図と側面図である。
【００２０】
連結具と解除ボタンを取り付けたロアー８と本体を接合し、本体両脇からレバーユニット３を差込むことで、本発明の紐留具は完成する。レバーユニット３を差込む前に、紐用孔１８から紐を本体に経路し、本体両脇からレバーユニット３を差込むことで、紐を本体内に収納することができる。
【００２１】
本体にレバーユニット３を差込むと、紐がレバー４の先端に掛かり、本体内のピン９により紐が分岐され、レバー４の周りを紐が経路されることで、レバーの長さの約４倍分の紐を片側だけで収納できる。両側ではレバーの長さの約８倍分の紐の収納量となる。
図１０は紐の経路を示す本体平面図、図１１はレバーユニット挿入時の紐の経路を示す本体平面図である。
【００２２】
例えば靴の場合、事前に靴紐を本体に経路し、レバーユニット３を差込み後に、靴紐を締めて結んでおく。紐を緩める場合は、解除ボタンを押すことで、レバーユニット３のレバーヘッド底部の溝にかかっていた、固定解除バー先端のフック１２が外れ、レバーユニット３が本体から抜けることで、締めていた紐を緩めることができる。次に紐を締める場合は、レバーユニット３のレバーヘッド部を、本体側へ押込むことで紐が本体内に収納され、フック１６がレバーヘッド底部のフック溝６に入り込み、レバーユニットが固定され、紐も固定される。図１３は本体装着状態を示す一例の斜視図である。
【００２３】
一度靴紐を本体に経路し終えれば、紐を緩めたり締めたりする動作は、レバーユニット３の押込みと解除ボタンにより、ワンタッチで行うことができる。これにより、身体が不自由な障害者であっても、片手が使えれば靴紐を締めたり緩めたりすることが可能となる。健常者の場合は、靴を履いたり脱いだりすることの利便性が大幅に向上する。
【実施例２】
【００２４】
靴に限らず、ベルトやバッグ、被服等に於いて、紐を用いて締める緩めることが必要な箇所に適用することができる。
【産業上の利用可能性】
【００２５】
本発明の紐留具は工業生産が可能であり、日常生活のみならず、紐を用いて締めたり緩めたりする必要性のある分野での利用が可能である。
【符号の説明】
【００２６】
１  紐留具                      ２  本体
３  レバーユニット              ４  レバー
５  レバーヘッド                ６  フック溝
７  アッパー                    ８  ロアー
９  ピン                      １０  解除ボタン
１１  固定解除バー            １２  フック
１３  連結具                  １４  紐
１５  爪                      １６  凹状部
１７  ボタン用孔              １８  紐用孔
【図１】
2017099636.tif 000003
【図２】
2017099636.tif 000004
【図３】
2017099636.tif 000005
【図４】
2017099636.tif 000006
【図５】
2017099636.tif 000007
【図６】
2017099636.tif 000008
【図７】
2017099636.tif 000009
【図８】
2017099636.tif 000010
【図９】
2017099636.tif 000011
【図１０】
2017099636.tif 000012
【図１１】
2017099636.tif 000013
【図１２】
2017099636.tif 000014
【図１３】
2017099636.tif 000015
【手続補正書】
【提出日】平成29年2月16日(2017.2.16)
【手続補正１】
【補正対象書類名】特許請求の範囲
【補正対象項目名】請求項１
【補正方法】変更
【補正の内容】
【請求項１】
レバーヘッドに２つのレバーを設けたレバーユニットと、
前記レバーユニットのレバーを両脇から挿入するための開口部を有し、開口部側ではない両側壁またはロアーに紐用孔を４ヶ所設け、天面にはボタン用孔を、ボタン用孔の両脇で本体内部に紐を分岐させるピンを設けた本体と、
先端部にレバーユニットのフック溝へ収納するフックを設け、一端が連結され左右対称に形成した固定解除バーを有し前記本体の底部に設けるロアーと、
前記固定解除バーの上面に、連結具を介して取り付ける解除ボタンを有することを特徴とする紐留具。
【手続補正２】
【補正対象書類名】特許請求の範囲
【補正対象項目名】請求項２
【補正方法】変更
【補正の内容】
【請求項２】
前記レバーの先端部に爪を設けたことを特徴とする請求項１に記載の紐留具。
【手続補正３】
【補正対象書類名】明細書
【補正対象項目名】０００８
【補正方法】変更
【補正の内容】
【０００８】
前記レバーの先端部に、レバーが本体から外れることを防止する爪を設けたことを特徴とする。